(57)【要約】【課題】  湿気を壁体外へ排出し得て壁体内の結露を防ぐことが可能な外壁構造に適用する遮熱防湿性を備えたユニットを構成する。【解決手段】  遮熱防湿ユニット１は、低放射性を有するシート状の遮熱反射材３と、遮熱反射材３との間に中空部２０を形成する通気部材２とを備える。通気部材２は、遮熱反射材３の屋外側に配設される屋外側通気部材２２と、遮熱反射材３の屋内側に配設され、透湿性を有するシート材または板状材からなる屋内側通気部材２１とを有している。遮熱防湿ユニット１は隣り合う柱材間に断熱材とともに装填される。【選択図】  図１
2018141288.tif 000002
【特許請求の範囲】
【請求項１】
建物の壁体内に配設される遮熱防湿ユニットであって、
低放射性を有するシート状の遮熱反射材と、
前記遮熱反射材の屋内側および屋外側に配設され、前記遮熱反射材との間に中空部を形成する通気部材とを備えてなることを特徴とする遮熱防湿ユニット。
【請求項２】
請求項１に記載の遮熱防湿ユニットにおいて、
前記通気部材は、平板部と該平板部から前記遮熱反射材側へ突出する複数の仕切片とを備え、
前記中空部は、前記遮熱反射材、前記平板部、および前記仕切片により区画されてなることを特徴とする遮熱防湿ユニット。
【請求項３】
請求項２に記載の遮熱防湿ユニットにおいて、
前記仕切片の先端部は、前記遮熱反射材に対して相互に対向配置されたことを特徴とする遮熱防湿ユニット。
【請求項４】
請求項１〜３のいずれか一つの請求項に記載の遮熱防湿ユニットにおいて、
屋内側に配設される前記通気部材は、透湿性を有するシート材または板状材からなることを特徴とする遮熱防湿ユニット。
【請求項５】
請求項１〜４のいずれか一つの請求項に記載の遮熱防湿ユニットにおいて、
屋外側に配設される前記通気部材は、透湿性または防水性を有し、シート材または板状材からなることを特徴とする遮熱防湿ユニット。
【請求項６】
建物の外壁に組み付けられる壁パネルであって、
屋内側に配設される内装下地面材と、屋外側に配設される遮熱防湿ユニットと、これらの内装下地面材と遮熱防湿ユニットとの間に配設される断熱材とを一体に備え、
前記遮熱防湿ユニットは、低放射性を有するシート状の遮熱反射材と、前記遮熱反射材との間に中空部を形成する通気部材とを含み、
前記通気部材は、前記遮熱反射材の屋外側に配設される屋外側通気部材と、前記遮熱反射材の屋内側に配設されて透湿性を有するシート材または板状材からなる屋内側通気部材とを備えることを特徴とする壁パネル。
【請求項７】
建物の外壁に組み付けられる壁パネルであって、
屋外側に配設される構造用面材と、屋内側に配設される断熱材と、これらの構造用面材と断熱材との間に配設される遮熱防湿ユニットとを一体に備え、
前記遮熱防湿ユニットは、低放射性を有するシート状の遮熱反射材と、前記遮熱反射材との間に中空部を形成する通気部材とを含み、
前記通気部材は、前記遮熱反射材の屋外側に配設される屋外側通気部材と前記遮熱反射材の屋内側に配設されて透湿性を有するシート材または板状材からなる屋内側通気部材とを備えることを特徴とする壁パネル。
【請求項８】
建物の外壁構造であって、
柱材の屋内側に内装下地面材が配設され、前記内装下地面材の屋外側に断熱材が装填され、前記断熱材の屋外側に遮熱防湿ユニットが配設され、前記遮熱防湿ユニットの屋外側に外壁材が備えられ、
前記遮熱防湿ユニットは、低放射性を有するシート状の遮熱反射材と、前記遮熱反射材との間に中空部を形成する通気部材とを含み、
前記通気部材は、前記遮熱反射材の屋外側に配設される屋外側通気部材と前記遮熱反射材の屋内側に配設されて透湿性を有するシート材または板状材からなる屋内側通気部材とを備えたことを特徴とする建物の外壁構造。
【請求項９】
請求項８に記載の建物の外壁構造において、
前記遮熱防湿ユニットは隣り合う柱材間に前記断熱材とともに装填されたことを特徴とする建物の外壁構造。
【発明の詳細な説明】
【技術分野】
【０００１】
本発明は、住宅をはじめとする比較的小規模な木造建築物に好適な遮熱防湿ユニット、壁パネル、および建物の外壁構造に関する。
【背景技術】
【０００２】
住宅等の建築物では、夏季の暑さや冬季の寒さを防ぐために、壁体の断熱性能と壁体内の結露を防ぐ防露性能とが求められる。壁体内に施工されるグラスウールやロックウール等の繊維系断熱材には、屋内側に向けて配設される面が防湿フィルムで被覆され、屋外側に向けて配設される面が有孔フィルムで被覆されたものがある。壁体内の断熱材は、居室から湿気が流入することによって結露を生じ、その断熱性能が低下してしまう。そのため、断熱材は屋内側に防湿フィルムを備えることによって湿気の流入を低減させ、結露の発生を防ぐように構成されている。また、防湿フィルムが欠損し湿気が流入する場合に備え、断熱材の屋外側の有孔フィルムが湿気を排出するように構成されている。
【０００３】
例えば、特許文献１には、断熱材を充填する袋の一側が防湿フィルムで、他側が透湿防風フィルムで形成されている断熱材について開示されている。また、壁体の空洞部に通気層空間を形成して断熱材を取り付けることが提案されている。この通気層空間には、温度差を利用して下方から上方へと流れる自然換気によって、壁体内の湿気を排出することが意図されている。
【先行技術文献】
【特許文献】
【０００４】
【特許文献１】特開平１１−８１５０６号公報
【発明の概要】
【発明が解決しようとする課題】
【０００５】
前記従来の断熱材を用いた壁体構造にあっても、壁体に配設する断熱材の性能を十分に発揮させるためには、壁体内部での冷気流と湿気の滞留を防止することが要求された。また、外壁材からの屋内側への熱放射を防ぐことで、屋内の快適な環境を保つだけでなく、壁体を構成する構造材が長期的に腐蝕劣化等しないようにすることも求められた。壁体における夏季の熱放射を防ぐため、低放射性を有するシート材が壁体内に設けられることがあるが、この種のシート材はその両面に空間が設けられていなければ熱伝導を生じてしまい、屋内側への熱放射を十分に防ぎきれない実情もあった。
【０００６】
本発明は、上記のような問題点にかんがみてなされたものであり、その目的とするところは、通気、防湿および遮熱性を考慮した新規な構成を採用することによって効率よく湿気を壁体外へ排出し得て壁体内の結露を防ぎ、年間を通して快適な居室環境を実現し得る建物の外壁構造と、これに適用可能な遮熱防湿ユニットおよび壁パネルを提供することにある。
【課題を解決するための手段】
【０００７】
前記の目的を達成するための本発明の解決手段は、建物の壁体内に配設される遮熱防湿ユニットを前提とし、低放射性を有するシート状の遮熱反射材と、前記遮熱反射材の屋内側および屋外側に配設され、前記遮熱反射材との間に中空部を形成する通気部材とを備えたことを特徴としている。
【０００８】
この特定事項により、壁体内に遮熱防湿ユニットを設けることで、壁体に遮熱性能、通気性能、および防露性能を効果的かつ容易に備えさせることが可能となる。ここで、屋内側に配設される前記通気部材は、透湿性を有するシート材または板状材からなることが好ましく、屋内側からの湿気を中空部に取り込み、中空部から排出することが可能とされる。
【０００９】
前記の遮熱防湿ユニットを用いた壁パネルも本発明の技術的思想の範疇である。すなわち、建物の外壁に組み付けられる壁パネルであって、屋内側に配設される内装下地面材と、屋外側に配設される遮熱防湿ユニットと、これらの内装下地面材と遮熱防湿ユニットとの間に配設される断熱材とを一体に備えて構成される。また、前記壁パネルとして、屋外側に配設される構造用面材と、屋内側に配設される断熱材と、これらの構造用面材と断熱材との間に配設される遮熱防湿ユニットとを一体に備えて構成されてもよい。かかる壁パネルにおいて、前記遮熱防湿ユニットは、低放射性を有するシート状の遮熱反射材と、前記遮熱反射材との間に中空部を形成する通気部材とを含み、前記通気部材は、前記遮熱反射材の屋外側に配設される屋外側通気部材と、前記遮熱反射材の屋内側に配設されて透湿性を有するシート材または板状材からなる屋内側通気部材とを備えて構成される。
【００１０】
これにより、通気部材と低放射性を有する遮熱反射材とが一体となった遮熱防湿ユニットと、壁体に必要な断熱材とをパネル化して備えさせることができる。遮熱防湿ユニットが遮熱性能、通気性能、および防露性能を有することによって、断熱材の断熱性能を十分に発揮させて、快適な室内環境を形成し得る壁パネルとすることができる。
【００１１】
また、前記遮熱防湿ユニットまたは壁パネルを用いた建物の外壁構造も本発明の技術的思想の範疇である。すなわち、建物の外壁構造として、柱材の屋内側に内装下地面材が配設され、前記内装下地面材の屋外側に断熱材が装填され、前記断熱材の屋外側に遮熱防湿ユニットが配設され、前記遮熱防湿ユニットの屋外側に外壁材が備えられ、前記遮熱防湿ユニットは、低放射性を有するシート状の遮熱反射材と、前記遮熱反射材との間に中空部を形成する通気部材とを含み、前記通気部材は、前記遮熱反射材の屋外側に配設される屋外側通気部材と前記遮熱反射材の屋内側に配設されて透湿性を有するシート材または板状材からなる屋内側通気部材とを備えたことを特徴としている。
【００１２】
このような特定事項により、建物内部の居室では、屋外環境の影響が最小限に抑えられて快適な室内環境が形成され、壁体内では、結露や結露による断熱材の性能低下を防止し得て、長期的に壁体内の腐蝕劣化の発生を抑えることが可能となる。
【発明の効果】
【００１３】
本発明では、建物の外壁構造として、柱材の屋内側に内装下地面材が配設され、前記内装下地面材の屋外側に断熱材が装填され、前記断熱材の屋外側に遮熱防湿ユニットが配設され、前記遮熱防湿ユニットの屋外側に外壁材が備えられてなる。また、前記遮熱防湿ユニットは、低放射性を有するシート状の遮熱反射材と、前記遮熱反射材との間に中空部を形成する通気部材とを含む構成とされている。このため、前記通気部材を介して効率よく壁体内の湿気を排出することが可能となり、壁体内の結露を防ぐとともに、外部の熱影響を低減して快適な居室環境を実現することが可能となる。
【図面の簡単な説明】
【００１４】
【図１】本発明の実施形態に係る遮熱防湿ユニットを示す斜視図である。
【図２】図１の遮熱防湿ユニットの構成を示す分解説明図である。
【図３】本発明の他の実施形態に係る遮熱防湿ユニットを示す斜視図である。
【図４】本発明のさらに他の実施形態に係る遮熱防湿ユニットを示す端面図である。
【図５】本発明の実施形態に係る壁パネルを示す斜視図である。
【図６】図５の壁パネルを示す断面図である。
【図７】本発明の他の実施形態に係る壁パネルを示す断面図である。
【図８】本発明の実施形態に係る建物の外壁構造を示す横断面図である。
【図９】図８の外壁構造を示す縦断面図である。
【図１０】本発明の他の実施形態に係る建物の外壁構造を示す横断面図である。
【図１１】本発明のさらに他の実施形態に係る建物の外壁構造を示す横断面図である。
【発明を実施するための形態】
【００１５】
以下、本発明の実施の形態に係る遮熱防湿ユニット、壁パネル、および建物の外壁構造について、図面を参照しつつ説明する。
【００１６】
（遮熱防湿ユニット）
図１〜図４は本発明の実施形態に係る遮熱防湿ユニット１を示す。図１は、実施形態に係る遮熱防湿ユニット１を示す斜視図であり、中空部２０を備えた通気部材２と、シート状の遮熱反射材３とを含み、建物の壁体内に配設されるユニット部材とされている。通気部材２は、屋内側通気部材２１と屋外側通気部材２２とを備えており、これらの通気部材２１、２２の間に遮熱反射材３が介装されている。
【００１７】
遮熱防湿ユニット１には複数条の中空部２０が並列されている。図２に示す形態では、屋内側通気部材２１および屋外側通気部材２２は共通する断面形状を有し、遮熱反射材３を挟んで対称形に形成されている。
【００１８】
屋内側通気部材２１および屋外側通気部材２２は、それぞれ、平板部２０１と、平板部２０１から遮熱反射材３の方向へ突出する複数の仕切片２０２とを備えている。どちらの通気部材２１、２２も、平板部２０１に直交する方向に複数の仕切片２０２が延設され、各仕切片２０２の辺縁部が遮熱反射材３に対して相互に対向配置されている。仕切片２０２の辺縁部は遮熱反射材３にそれぞれ接合されている。これにより、遮熱反射材３、仕切片２０２、および平板部２０１によって、遮熱反射材３の両面が複数条に仕切られて中空部２０が形成されている。この場合、中空部２０は断面略矩形状に設けられており、通気部材２の長手方向に沿って延びる中空空間を構成している。
【００１９】
遮熱反射材３と、屋内側通気部材２１および屋外側通気部材２２とは、図１に示すように仕切片２０２の辺縁部を遮熱反射材３にそれぞれ密接させて一体化されている。仕切片２０２と遮熱反射材３とは、接着や溶着等により接合されている。
【００２０】
屋内側通気部材２１は、透湿性を有するシート材または板状材からなることが好ましい。屋外側通気部材２２は、透湿性もしくは防水性を備え、または透湿性と防水性とを兼ね備えている、シート材または板状材からなることが好ましい。透湿性とは主に水蒸気（気体）を透過させる性質をいい、防水性とは主に水（液体）を透過させないことをいう。例えば、屋内側通気部材２１および屋外側通気部材２２は、ともに合成樹脂系繊維材の不織布により形成される。好ましい不織布としては、硬直性の高いポリエチレン不織布、ポリプロピレン不織布のスパンボンド式不織布等があげられる。
【００２１】
遮熱反射材３は、低放射性を有するシート材からなり、アルミ箔やステンレス箔等の薄膜金属シート、または合成樹脂系シート材に金属層をラミネートした金属蒸着シートなどを適用することができる。低放射性とは、長波長の熱放射に対する放射率が極めて低く抑えられる性質をいう。
【００２２】
屋内側通気部材２１および屋外側通気部材２２を共通の材質から構成する場合、長手方向に沿って矩形断面の複数の中空部を有する不織布成形体を、長手方向に沿って二等分に切断する（図２参照）。さらに、二等分されたこれらの通気部材２１、２２の間に遮熱反射材３を挟み込み、互いに接着することにより遮熱防湿ユニット１を形成することができる。
【００２３】
なお、屋内側通気部材２１は透湿性を有することが望ましいが、屋外側通気部材２２については必ずしも透湿性が要求されない。このため、屋外側通気部材２２は、屋内側通気部材２１とは異なる材質のシート材または板状材から構成されてもよい。例えば、屋外側通気部材２２は、防水性を有するシート材または板状材であって、透湿防水シートや、合成樹脂系板状材から構成されてもよい。
【００２４】
図３に示すように、遮熱防湿ユニット１は、遮熱反射材３の幅方向の長さが通気部材２の幅よりも長く形成されて、耳部３１を備えた構成であってもよい。この場合、遮熱反射材３の耳部３１を、壁体内の柱材等との接合部として用いることができる。かかる耳部３１は、遮熱反射材３により構成されるに限らず、屋内側通気部材２１および屋外側通気部材２２を構成するシート材または板状材が通気部材２の幅方向に延長されて形成されていてもよい。
【００２５】
また、遮熱防湿ユニット１は、屋内側通気部材２１と屋外側通気部材２２とで、異なる断面形状を備えて構成されてもよい。すなわち、図４に示すように、遮熱反射材３を挟んで、複数の中空部２０が非対称形にずれた配置形態により構成されてもよい。さらに、遮熱防湿ユニット１は、その強度が十分に確保される場合には、仕切片２０２の辺縁部を遮熱反射材３に一体化させることなく、適宜箇所において、仕切片２０２の辺縁部と遮熱反射材３とに隙間を設ける構成とされてもよい。
【００２６】
なお、遮熱防湿ユニット１に備えられる中空部２０は、例示したような断面矩形状であるに限らず、円形状、楕円形状、三角形状等のどのような断面形状であってもよい。
【００２７】
（壁パネル）
図５〜図７は本発明の実施形態に係る壁パネル４を示す。遮熱防湿ユニット１は、建物の外壁に組み付けられる壁パネル４を構成する部材として用いることが可能である。
【００２８】
図５および図６に示すように、壁パネル４は、屋内側に配設される内装下地面材４１と、上述の構成を有する遮熱防湿ユニット１と、これらの内装下地面材４１と遮熱防湿ユニット１との間に配設される断熱材４２とを一体に備えてなる。
【００２９】
断熱材４２は、屋内側に面する外表面が防湿性フィルムで被覆され、屋外側に面する外表面および木口が防風透湿性の有孔フィルムで被覆されている。
【００３０】
図６に示すように、壁パネル４には、かかるフィルムで被覆された断熱材４２の屋内側であって、内装下地面材４１との間に、防湿気密シート４３が介装されることが好ましい。防湿気密シート４３は、例えばポリエチレンフィルムやアルミ蒸着フィルムなどから構成され、内外の防湿性および気密性を確保する。
【００３１】
壁パネル４を構成するこれらの部材は、あらかじめ接合および接着により一体化されて建物の施工現場に搬入される。あらかじめパネル化されていることにより、施工精度を向上させることができるとともに、施工工程を減らし施工期間の短縮化を図ることができる。防湿気密シート４３は、一般には破れやすく傷を生じやすいものであるが、あらかじめ壁パネル４に組み込まれていることで、施工現場での損傷を防ぎ、十分な防湿気密性能を発揮させることが可能になる。
【００３２】
図７に示すように、壁パネル４は、屋外側に配設される構造用面材４４と、屋内側に配設される断熱材４２と、これらの構造用面材４４と断熱材４２との間に配設される遮熱防湿ユニット１とを一体に備えて構成されてもよい。この場合、構造用面材４４を備えて構成されることにより、壁パネル４としての構造耐力を向上させることができる。
【００３３】
（建物の外壁構造）
図８〜図１１は、上述の遮熱防湿ユニット１または壁パネル４を用いて構成される建物の外壁構造を示す断面図である。これらの遮熱防湿ユニット１および壁パネル４は、木造住宅などの比較的小規模な建物の外壁構造に適用することが可能である。
【００３４】
図８および図９に示すように、実施形態に係る外壁構造では、所定の間隔で複数の柱材５が立設され、柱材５の屋内側には石膏ボード等の内装下地面材４１が設けられている。ここで、柱材５には、管柱、通し柱等の建物の軸組を構成する柱のほか、柱と柱の間に配設される間柱、たて桟材その他の垂直部材全般が含まれる。
【００３５】
内装下地面材４１の屋外側には、防湿気密シート４３が張設され、断熱材４２が備えられている。防湿気密シート４３は、屋内の水蒸気が断熱材４２内部に流入するのを防止する。断熱材４２は、屋内側に面する外表面が防湿性フィルムで被覆され、屋外側に面する外表面および木口が防風透湿性の有孔フィルムで被覆されている。
【００３６】
断熱材４２の屋外側には、遮熱防湿ユニット１が配設されている。図８に示すように、遮熱防湿ユニット１は、複数条の中空部２０が高さ方向に沿って配設されるように柱材５間に断熱材４２とともに装填され、柱材５の奥行き寸法に全体が納められている。遮熱防湿ユニット１の屋外側通気部材２２の外面は、柱材５の屋外側の面と面一に揃えられている。この場合、上述した図６の形態に係る壁パネル４は、柱材５の屋内側から柱材５の間に納めて取り付けることで、かかる外壁構造に適用することができる。
【００３７】
遮熱防湿ユニット１の屋外側には外壁材が備えられる。外壁材として、例示の形態では構造用面材４４が柱材５の屋外側に立て込まれ、かい木などの下地材６１を介して外装仕上材６が配設されている。構造用面材４４の屋外側の面には、透湿防水シート４５が隙間なく張られている。断熱材４２および遮熱防湿ユニット１は、柱材５の間に納められているので、構造用面材４４を柱材５に密接させて接合することができる。
【００３８】
構造用面材４４は、柱材５と柱材５との間に一枚板で張られることにより耐力壁とすることができる。
【００３９】
外装仕上材６と構造用面材４４との間には、通気層７が設けられる。上述した図７の形態に係る壁パネル４は、柱材５の屋外側から柱材５間に納めて取り付けることにより、かかる外壁構造を実現することも可能とされる。この場合、図７の形態に係る壁パネル４は、建物の土台から胴差までの範囲や、胴差から桁まで範囲に適用され、構造強度の高い耐力壁を備えた外壁構造を形成することができる。
【００４０】
図９は、図８の外壁構造を縦断面により示している。柱材５間には断熱材４２および遮熱防湿ユニット１が納められている。図示するように、屋内側で発生した水蒸気は、防湿気密シート４３により壁体内に流入することが防がれる。また、断熱材４２は、屋内側が防湿性フィルムで被覆された構成であるので、断熱材４２の内部への湿気の流入が防がれ、熱損失を大幅に低減させて断熱効果を高めることができる。
【００４１】
なんらかの要因で屋内側から断熱材４２に湿気が流入したとしても、断熱材４２の屋外側を被覆する有孔フィルムによって湿気は断熱材４２の屋外側へ排出される。そのため、微量なりとも流入した湿気は、断熱材４２から排出され、通気部材２の屋内側通気部材２１に流入し、断熱材４２に滞留することが防がれる。屋内側通気部材２１には、高さ方向に沿って複数条の中空部２０が備えられているので、湿気は下方から上方へ、中空部２０を流通する。中空部２０および通気層７の最下端は、建物基礎に設けられた通気口に接続され、これらの最上端は屋根に設けられた通気口に接続されており、温度差による自然気流によって湿気は上昇し排出される。
【００４２】
一方、屋外からの風雨は、屋外側に設けられた外装仕上材６および透湿防水シート４５に遮られる。日射等により外装仕上材６を介して伝導・放射された熱や、屋内側へ微量に流入した湿気は、構造用面材４４との間の通気層７を流通して上方へ排出される。また、通気層７は床下に発生した湿気も上昇させて排出する。
【００４３】
夏季に特に高温となる日射熱は、通気層７から構造用面材４４に伝導され放射される可能性がある。その場合、熱は、屋外側通気部材２２の中空部２０から上方へと排出される。屋外側通気部材２２と屋内側通気部材２１との間には遮熱反射材３が配設されているので、熱は遮熱反射材３によって屋外側通気部材２２や、そのさらに屋外側へと反射され、遮熱反射材３の屋内側への伝導・放射は防がれる。
【００４４】
図１０および図１１は、実施形態に係る他の外壁構造を示す横断面図である。図１０に示す形態では、遮熱防湿ユニット１の屋外側通気部材２２が柱材５の屋外側に位置するように配設されている。これにより、図８の形態に比べて断熱材４２の厚みを確保することができ、断熱性能を高めることができるとともに、壁体の厚みを抑えて構成することが可能となる。遮熱防湿ユニット１は、図３に示したように遮熱反射材３に耳部３１を備えた構成のものを採用することにより、耳部３１を柱材５との接合部とすることができる。
【００４５】
図１１に示す形態では、遮熱防湿ユニット１の全体が柱材５の屋外側に配設されている。柱材５の屋外側には下地材６１が添え付けられて、下地材６１の間に遮熱防湿ユニット１が納められている。これにより、図８の形態に比べて、断熱材４２の厚みを増大させたり屋内側に通気層７を設けたりすることができ、中空部２０の作用と相まって湿気の排出性能を向上させることができる。
【００４６】
図１０および図１１の外壁構造は、構造用面材４４を備えない形態であるので、耐力壁とすることが要求されない箇所において好適に実施することができる。また、柱５の屋外側には遮熱防湿ユニット１の遮熱反射材３が配設されることになるので、柱５の屋外側に別途の透湿防水シートを張設する必要性がなく簡便な構造を実現することができる。
【００４７】
以上のように構成される外壁構造およびこれに適用可能な壁パネル４は、遮熱防湿ユニット１における遮熱反射材３が、屋外側と屋内側の両方に中空部２０を備えた構成であり、通気部材２における空気の流通性を確保している。そのため、遮熱防湿ユニット１において、遮熱反射材３の遮熱反射性能を十分に発揮させることが可能であり、屋外側通気部材２２には屋外側への熱放射性を付与し、屋内側通気部材２１には湿気の通気排出性を付与するものとなる。したがって、建物内部の居室では、屋外環境の影響が最小限に抑えられて快適な室内環境が維持される。また、壁体内では、断熱材４２の熱損失や結露を防止し得て、長期的に壁体内の腐蝕劣化を防ぐことが可能となる。
【００４８】
なお、本発明に係る遮熱防湿ユニット１、壁パネル４および建物の外壁構造は、前記実施形態以外にも他の様々な形で実施することができる。例えば、遮熱防湿ユニット１における中空部２０は屋内側通気部材２１と屋外側通気部材２２とに一列に並列されるに限らず、複数列に配設されてもよい。また、外壁構造として、遮熱防湿ユニット１が複数ユニット重ねて柱材５間に納められてもよい。前述の実施形態は本発明の例示であってこれに限定されるものではない。
【産業上の利用可能性】
【００４９】
本発明は、住宅をはじめとする比較的小規模な木造建築に好適に利用可能である。
【符号の説明】
【００５０】
１    遮熱防湿ユニット
２    通気部材
２０  中空部
２１  屋内側通気部材
２２  屋外側通気部材
３    遮熱反射材
４    壁パネル
４１  内装下地面材
４２  断熱材
４３  防湿気密シート
４４  構造用面材
５    柱材
６    外装仕上材
７    通気層
【図１】
2018141288.tif 000003
【図２】
2018141288.tif 000004
【図３】
2018141288.tif 000005
【図４】
2018141288.tif 000006
【図５】
2018141288.tif 000007
【図６】
2018141288.tif 000008
【図７】
2018141288.tif 000009
【図８】
2018141288.tif 000010
【図９】
2018141288.tif 000011
【図１０】
2018141288.tif 000012
【図１１】
2018141288.tif 000013
【手続補正書】
【提出日】平成30年7月2日(2018.7.2)
【手続補正１】
【補正対象書類名】特許請求の範囲
【補正対象項目名】全文
【補正方法】変更
【補正の内容】
【特許請求の範囲】
【請求項１】
建物の壁体内に配設される遮熱防湿ユニットであって、
低放射性を有するシート状の遮熱反射材と、
前記遮熱反射材の屋内側に配設され、透湿性を有するシート材または板状材からなる屋内側通気部材と、
前記遮熱反射材の屋外側に配設され、透湿性または防水性を有する、シート材または板状材からなる屋外側通気部材とを備え、
前記屋内側通気部材および前記屋外側通気部材は、それぞれ、平板部と該平板部から前記遮熱反射材側へ突出する複数の仕切片とを備え、前記仕切片の先端部は、前記遮熱反射材に対して相互に対向配置されて前記遮熱反射材に接合されており、
前記遮熱反射材、前記平板部、および前記仕切片により区画された複数の中空部が設けられていることを特徴とする遮熱防湿ユニット。
【請求項２】
請求項１に記載の遮熱防湿ユニットにおいて、
前記遮熱反射材は、幅方向の長さが、前記屋内側通気部材および前記屋外側通気部材の幅よりも長く、幅方向の両端部に耳部を備えていることを特徴とする遮熱防湿ユニット。
【請求項３】
請求項１または２に記載の遮熱防湿ユニットを備えて、建物の外壁に組み付けられる壁パネルであって、
屋内側に配設される内装下地面材と、屋外側に配設される前記遮熱防湿ユニットと、これらの内装下地面材と遮熱防湿ユニットとの間に配設される断熱材とを一体に備え、
前記断熱材は、屋内側に面する外表面が防湿性フィルムで被覆され、屋外側に面する外表面が防風透湿性有孔フィルムで被覆されていることを特徴とする壁パネル。
【請求項４】
請求項３に記載の壁パネルにおいて、
前記断熱材と前記内装下地面材との間に防湿気密シートが介装されていることを特徴とする壁パネル。
【請求項５】
請求項１または２に記載の遮熱防湿ユニットを備えて、建物の外壁に組み付けられる壁パネルであって、
屋外側に配設される構造用面材と、屋内側に配設される断熱材と、これらの構造用面材と断熱材との間に配設される遮熱防湿ユニットとを一体に備え、
前記断熱材は、屋内側に面する外表面が防湿性フィルムで被覆され、屋外側に面する外表面が防風透湿性有孔フィルムで被覆されていることを特徴とする壁パネル。
【請求項６】
請求項１または２に記載の遮熱防湿ユニットを備える建物の外壁構造であって、
柱材の屋内側に内装下地面材が配設され、前記内装下地面材の屋外側に断熱材が装填され、前記断熱材の屋外側に前記遮熱防湿ユニットが配設され、前記遮熱防湿ユニットの屋外側に外壁材が備えられ、
前記断熱材は、屋内側に面する外表面が防湿性フィルムで被覆され、屋外側に面する外表面が防風透湿性有孔フィルムで被覆されており、
前記断熱材と前記内装下地面材との間に防湿気密シートが介装されていることを特徴とする建物の外壁構造。
【請求項７】
請求項６に記載の建物の外壁構造において、
前記遮熱防湿ユニットは隣り合う柱材間に前記断熱材とともに装填されたことを特徴とする建物の外壁構造。
【請求項８】
請求項７に記載の建物の外壁構造において、
前記遮熱防湿ユニットは、少なくとも前記屋内側通気部材を前記柱材に密接させて、前記柱材間に納められていることを特徴とする建物の外壁構造。
【手続補正２】
【補正対象書類名】明細書
【補正対象項目名】０００７
【補正方法】変更
【補正の内容】
【０００７】
前記の目的を達成するための本発明の解決手段は、建物の壁体内に配設される遮熱防湿ユニットを前提とし、低放射性を有するシート状の遮熱反射材と、前記遮熱反射材の屋内側に配設され、透湿性を有するシート材または板状材からなる屋内側通気部材と、前記遮熱反射材の屋外側に配設され、透湿性または防水性を有する、シート材または板状材からなる屋外側通気部材とを備え、前記屋内側通気部材および前記屋外側通気部材は、それぞれ、平板部と該平板部から前記遮熱反射材側へ突出する複数の仕切片とを備え、前記仕切片の先端部は、前記遮熱反射材に対して相互に対向配置されて前記遮熱反射材に接合されており、前記遮熱反射材、前記平板部、および前記仕切片により区画された複数の中空部が設けられたことを特徴としている。
【手続補正３】
【補正対象書類名】明細書
【補正対象項目名】０００９
【補正方法】変更
【補正の内容】
【０００９】
前記の遮熱防湿ユニットを用いた壁パネルも本発明の技術的思想の範疇である。すなわち、建物の外壁に組み付けられる壁パネルであって、屋内側に配設される内装下地面材と、屋外側に配設される遮熱防湿ユニットと、これらの内装下地面材と遮熱防湿ユニットとの間に配設される断熱材とを一体に備えて構成される。また、前記壁パネルとして、屋外側に配設される構造用面材と、屋内側に配設される断熱材と、これらの構造用面材と断熱材との間に配設される遮熱防湿ユニットとを一体に備えて構成されてもよい。かかる壁パネルにおいて、前記遮熱防湿ユニットは、低放射性を有するシート状の遮熱反射材と、前記遮熱反射材との間に中空部を形成する通気部材とを含み、前記通気部材は、前記遮熱反射材の屋外側に配設される屋外側通気部材と、前記遮熱反射材の屋内側に配設されて透湿性を有するシート材または板状材からなる屋内側通気部材とを備えて構成される。また、前記断熱材は、屋内側に面する外表面が防湿性フィルムで被覆され、屋外側に面する外表面が防風透湿性有孔フィルムで被覆されて構成される。
【手続補正４】
【補正対象書類名】明細書
【補正対象項目名】００１１
【補正方法】変更
【補正の内容】
【００１１】
また、前記遮熱防湿ユニットまたは壁パネルを用いた建物の外壁構造も本発明の技術的思想の範疇である。すなわち、建物の外壁構造として、柱材の屋内側に内装下地面材が配設され、前記内装下地面材の屋外側に断熱材が装填され、前記断熱材の屋外側に遮熱防湿ユニットが配設され、前記遮熱防湿ユニットの屋外側に外壁材が備えられ、前記遮熱防湿ユニットは、低放射性を有するシート状の遮熱反射材と、前記遮熱反射材との間に中空部を形成する通気部材とを含み、前記通気部材は、前記遮熱反射材の屋外側に配設される屋外側通気部材と前記遮熱反射材の屋内側に配設されて透湿性を有するシート材または板状材からなる屋内側通気部材とを備えて構成される。また、前記断熱材は、屋内側に面する外表面が防湿性フィルムで被覆され、屋外側に面する外表面が防風透湿性有孔フィルムで被覆されており、前記断熱材と前記内装下地面材との間に防湿気密シートが介装されたことを特徴としている。